(57)【特許請求の範囲】
【請求項１】
圧入孔及び支持面を備えたハウジングに保持され、かつ相手側コンタクト部材と接続される、電気コネクタのコンタクト部材であって、
前記コンタクト部材は、
前記相手側コンタクト部材と接触し、かつ前記支持面に沿って配置される扁平状のコンタクト部と、
前記コンタクト部と繋がり、かつ前記圧入孔に圧入される扁平状の圧入固定部と、
前記圧入固定部に繋がるタイン部と、
前記圧入固定部の側面から延びる耳片とを備え、
前記耳片は、
前記コンタクト部よりも前記支持面側に突出する突出部を有し、
前記突出部は、前記圧入固定部を中心として、前記コンタクト部と反対側に配置されていることを特徴とするコンタクト部材。
【請求項２】
前記耳片は、
前記圧入固定部と繋がり、かつ前記コンタクト部と同一平面上に設けられる支持片と、
前記支持片から前記相手側コンタクト部材が挿入される向きに延び、かつその先端が前記支持面に接近するように傾斜する傾斜片と、
を備えていることを特徴とする請求項１に記載のコンタクト部材。
【請求項３】
前記耳片は、前記圧入固定部の幅方向の両側面に設けられたことを特徴とする請求項１又は２に記載のコンタクト部材。
【請求項４】
ハウジングに形成された圧入孔に圧入固定部が圧入され、かつ前記ハウジングに形成された支持面に沿ってコンタクト部が配置される、コンタクト部材の前記ハウジングに対する保持構造であって、
前記コンタクト部材は、
相手側コンタクト部材と接触し、かつ前記支持面に沿って配置される扁平状のコンタクト部と、
前記コンタクト部と繋がり、かつ前記圧入孔に圧入される扁平状の圧入固定部と、
前記圧入固定部に繋がるタイン部と、
前記圧入固定部の側面から延びる耳片とを備え、
前記耳片は、前記コンタクト部よりも前記支持面側に突出する突出部を有し、
前記突出部は、前記圧入固定部を中心として、前記コンタクト部と反対側に配置され、
前記ハウジングは、
前記耳片の前記突出部が押圧される押圧面を有することを特徴とするコンタクト部材の保持構造。
【請求項５】
前記耳片は、
前記圧入固定部と繋がり、かつ前記コンタクト部と同一平面上に設けられる支持片と、
前記支持片から前記相手側コンタクト部材が挿入される向きに延び、かつその先端が前記支持面に接近するように傾斜する傾斜片と、
を備え、
前記傾斜片の先端が、前記押圧面に押圧されることを特徴とする請求項４に記載のコンタクト部材の保持構造。
【請求項６】
前記耳片は、前記圧入固定部の幅方向の両側面に設けられ、
前記押圧面は、前記圧入孔の幅方向の両側に設けられたことを特徴とする請求項４又は５に記載のコンタクト部材の保持構造。
【請求項７】
第１プリント配線板に実装される第１コネクタと、
前記第１コネクタと嵌合され、第２プリント配線板に実装される第２コネクタと、からなる電気コネクタであって、
前記第１コネクタ及び前記第２コネクタのいずれか一方が、
圧入孔及び支持面を備えたハウジングと、
前記ハウジングに保持される複数のコンタクト部材と、を備え、
少なくとも一つの前記コンタクト部材は、
相手側コンタクト部材と接触し、かつ前記支持面に沿って配置される扁平状のコンタクト部と、
前記コンタクト部と繋がり、かつ前記圧入孔に圧入される扁平状の圧入固定部と、
前記圧入固定部に繋がるタイン部と、
前記圧入固定部の側面から延びる耳片とを備え、
前記耳片は、前記コンタクト部よりも前記支持面側に突出する突出部を有し、
前記突出部は、前記圧入固定部を中心として、前記コンタクト部と反対側に配置され、
前記ハウジングは、
前記耳片の前記突出部が押圧される押圧面を有することを特徴とする電気コネクタ。  
【請求項８】
前記耳片は、
前記圧入固定部と繋がり、かつ前記コンタクト部と同一平面上に設けられる支持片と、
前記支持片から前記相手側コンタクト部材が挿入される向きに延び、かつその先端が前記支持面に接近するように傾斜する傾斜片と、
を備え、
前記傾斜片の先端が、前記押圧面に押圧されることを特徴とする請求項７に記載の電気コネクタ。
【請求項９】
前記耳片は、前記圧入固定部の幅方向の両側面に設けられ、
前記押圧面は、前記圧入孔の幅方向の両側に設けられたことを特徴とする請求項７又は８に記載の電気コネクタ。
【発明の詳細な説明】
【技術分野】
【０００１】
本発明は、電気コネクタの絶縁ハウジングに保持されるコンタクト部材およびその保持構造に関し、特に、プリント配線板に半田付けされる低背のヘッダ（header）に好適なコンタクト部材の保持構造に関する。
【背景技術】
【０００２】
パーソナルコンピュータに代表される電子機器の内部で、電子部品が実装されたプリント配線板（以下、単に配線板という）同士を平行な状態で接続する電気コネクタ（以下、単にコネクタ）が知られている。このコネクタは、各々の配線板に実装され、垂直型ヘッダと称されることがある。
【０００３】
例えば特許文献１に開示されるように、高密度化、すなわち小型で多数のコンタクト部材を有するコネクタが開発されている。特許文献１のコネクタ２００は、図１４に示すように、ハウジング２０１の背面部に複数の端子板嵌合部２０２を形成し、端子板嵌合部２０２に端子ユニット２０３を嵌合した後に、各端子ユニット２０３をハウジング２０１に融着してハウジング２０１に固着する。端子ユニット２０３には、長手方向の寸法が短くかつ幅狭の端子板２０４に所定のピッチで２列に多数のコンタクト部材２０５、２０６が埋め込まれている。コンタクト部材２０５、２０６の各コンタクト部２０５ａ、２０６ａは、ハウジング２０１の嵌合凹部２０７に形成された絶縁壁２０８に沿って、嵌合凹部２０７内に配置される。
【０００４】
このコネクタ２００は、絶縁壁２０８の上端部に、突起２０８ａが形成されている。平面視すると、コンタクト部２０５ａ、２０６ａは、突起２０８ａに隠れることになる。つまり、突起２０８ａは、コネクタ２００と図示しない相手側コネクタが嵌合される際に、相手側コネクタのコンタクト部材がコンタクト部２０５ａ、２０６ａの先端に衝突するのを避けるために設けられている。相手側コンタクト部材がコンタクト部２０５ａ、２０６ａの先端に衝突すると、嵌合が不十分となるおそれがある。または、コンタクト部２０５ａ、２０６ａ、さらには相手側コンタクト部材が損傷するおそれがあるからである。
【０００５】
コネクタ２００は、電子機器の小型化に応じて、その高さを低くする低背化の要求がある。ところが、絶縁壁２０８の先端に突起２０８ａを設けたコネクタ２００は、低背化のために不利である。突起２０８ａを形成する分だけ絶縁壁２０８が高くなるからである。
【０００６】
特許文献２に記載されているコネクタ３００は、図１５に示すように、上述したコネクタ２００のように絶縁壁２０８の上端に突起２０８ａを設けないので、より低背化することができる。
【０００７】
ところで、コンタクト部材３０３は、その立上がり部のみが、底床３０１ｂに圧入されることによってハウジング３０１に拘束されている。したがって、コンタクト部材３０３のタイン部３０３ｂに矢印で示す向きに力が加わると、コンタクト部材３０３は、圧入部分を中心として矢印で示す向きに回転する。そうすると、コンタクト部３０３ａが絶縁壁３０２から離れる向きに変位する。そうすると、コンタクト部３０３ａが、相手側のコンタクト部材３０４のコンタクト部３０４ａと衝突するおそれがある。なお、コンタクト部３０３ａが絶縁壁３０２から離れる向きに変位することを、以下、コンタクト部の「浮き上がり」と呼ぶことにする。
ハウジング３０１の底床３０１ｂの厚さが薄くなると、タイン部３０３ｂに矢印で示す向きに力が加わったときに、コンタクト部材３０３は回転しやすくなる。コンタクト部材３０３を拘束する長さが短くなるためである。コネクタ３００を低背化する場合には、所定の嵌合長さを確保する必要があるため、底床３０１ｂの厚さが薄くされる。したがって、コネクタ３００を低背化すると、コンタクト部３０３ａは絶縁壁３０２から浮き上がりやすくなる。
【０００８】
【特許文献１】実開平４−９９３７８号公報
【特許文献２】特開２００１−１０２１２０号公報
【発明の開示】
【発明が解決しようとする課題】
【０００９】
本発明は、以上説明した技術的課題に基づいてなされたもので、低背化を妨げることなく、コンタクト部がハウジングの絶縁壁から浮き上がるのを防止することのできるコンタクト部材を提供することを目的とする。また、本発明は、このコンタクト部材を用いてコンタクト部が絶縁壁から浮き上がるのを防止したコンタクト部材の保持構造及びコネクタを提供することを目的とする。
【課題を解決するための手段】
【００１０】
上記目的を達成する本発明のコンタクト部材は、圧入孔及び支持面を備えたハウジングに保持され、かつ相手側コンタクト部材と接続される、コネクタのコンタクト部材である。このコンタクト部材は、相手側コンタクト部材と接触し、かつ支持面に沿って配置される扁平状のコンタクト部と、コンタクト部と繋がり、かつ圧入孔に圧入される扁平状の圧入固定部と、圧入固定部に繋がるタイン部と、圧入固定部の側面から延びる耳片とを備え、耳片は、コンタクト部よりも支持面側に突出する突出部を有し、この突出部は、圧入固定部を中心として、コンタクト部と反対側に配置されていることを特徴とする。
本発明によるコンタクト部材は、ハウジングに保持されると、突出部が支持面に押圧されることにより、耳片は支持面から離れる向きの力を受ける。そうすると、圧入固定部を介して繋がるコンタクト部は、圧入固定部を中心として、支持面に向けて押し付けられる。このようにして本発明は、コンタクト部が支持壁から浮き上がるのを防止する。
【００１１】
本発明のコンタクト部材における耳片は、圧入固定部と繋がり、かつコンタクト部と同一平面上に設けられる支持片と、支持片から相手側コンタクト部材が挿入される向きに延び、かつその先端が支持面に接近するように傾斜する傾斜片とを備えていれば、その形状はどのようなものであってもよい。このコンタクト部材の耳片は、コンタクトの製造の過程で、新たな工程を加えることなく形成することができる。
また、耳片は、圧入固定部の幅方向の両側面に設けられることが好ましい。コンタクト部を、支持面に向けてより確実に押し付けることができるからである。
【００１２】
本発明は、以上のコンタクト部材を用いたコンタクト部材の保持構造を提供する。すなわち本発明は、ハウジングに形成された圧入孔に圧入固定部が圧入され、かつハウジングに形成された支持面に沿ってコンタクト部が配置される、コンタクト部材のハウジングに対する保持構造であって、コンタクト部材は、相手側コンタクト部材と接触し、かつ支持面に沿って配置される扁平状の前記コンタクト部と、コンタクト部と繋がり、かつ圧入孔に圧入される扁平状の圧入固定部と、圧入固定部に繋がるタイン部と、圧入固定部の側面から延びる耳片とを備え、耳片は、コンタクト部よりも支持面側に突出する突出部を有し、この突出部は、圧入固定部を中心として、コンタクト部と反対側に配置される。またハウジングは、耳片の突出部が押圧される押圧面を有することを特徴する。
【００１３】
以上のコンタクト部材の保持構造においても、耳片は、圧入固定部と繋がり、かつコンタクト部と同一平面上に設けられる支持片と、支持片から相手側コンタクト部材が挿入される向きに延び、かつその先端が支持面に接近するように傾斜する傾斜片と、を備えることが好ましい。この保持構造において、傾斜片の先端は、押圧面に押圧されることになる。
また、以上のコンタクト部材の保持構造において、耳片は、圧入固定部の幅方向の両側面に設けることが好ましく、この場合、押圧面は、圧入孔の幅方向の両側に設けられることになる。
【００１４】
本発明は、以上のコンタクト部材を用いたコネクタを提供する。このコネクタは、第１配線板に実装される第１コネクタと、第１コネクタに嵌合され、第２配線板に実装される第２コネクタと、からなる。そして、第１コネクタ及び第２コネクタのいずれか一方が、圧入孔及び支持面を備えたハウジングと、ハウジングに保持される複数のコンタクト部材と、を備え、少なくとも一つのコンタクト部材は、相手側コンタクト部材と接触し、かつ支持面に沿って配置される扁平状のコンタクト部と、コンタクト部と繋がり、かつ圧入孔に圧入される扁平状の圧入固定部と、圧入固定部に繋がるタイン部と、圧入固定部の側面から延びる耳片とを備え、耳片は、コンタクト部よりも支持面側に突出する突出部を有し、この突出部は、圧入固定部を中心として、コンタクト部と反対側に配置される。また、ハウジングは、耳片の突出部が押圧される押圧面を有することを特徴とする。
【００１５】
以上のコネクタにおいても、耳片は、圧入固定部と繋がり、かつコンタクト部と同一平面上に設けられる支持片と、支持片から相手側コンタクト部材が挿入される向きに延び、かつその先端が支持面に接近するように傾斜する傾斜片と、を備え、傾斜片の先端が、押圧面に押圧されることが好ましい。
また、以上のコネクタにおいて、耳片は、圧入固定部の幅方向の両側面に設けることが好ましく、この場合、押圧面は、圧入孔の幅方向の両側に設けられることになる。
【発明の効果】
【００１６】
本発明によれば、低背化を妨げることなくコンタクト部材の浮き上がりを防止することができるコネクタを提供できる。
【発明を実施するための最良の形態】
【００１７】
以下、本発明によるコネクタの最良の実施形態について、添付図面を参照して詳細に説明する。本実施の形態は、ノートブック型パーソナルコンピュータ（以下、ノートＰＣ）と拡張ユニットであるドッキングステーションを相互に接続するドッキングコネクタに本発明を適用した例である。
図１〜図３は、本実施形態のプラグコネクタ１０を示し、図１はその平面図、図２は正面図、図３はプラグコネクタ１０を構成するハウジング４の斜視図である。プラグコネクタ１０は、ドッキングステーションの上面に配される。
【００１８】
図１〜図３において、プラグコネクタ１０は、絶縁性の細長いハウジング４と、このハウジング４の嵌合部６にハウジング４の長手方向Ｌに沿って４列に保持されたコンタクト部材８、９を有する。
コンタクト部材８は信号用の狭幅のコンタクト部材であり、コンタクト部材９は電力供給用の幅広のコンタクト部材である。
ハウジング４は、長手方向Ｌに延びる直方体形状の本体１４と、その両端に位置する直方体形状の取付部１２、１２を有している。本体１４と取付部１２、１２は、合成樹脂により一体に成形されている。
【００１９】
各取付部１２には、保持金具２２が取り付けられている。保持金具２２は、プラグコネクタ１０が取り付けられる配線板側に延びる保持脚１８を有する。この保持脚１８は、プラグコネクタ１０を配線板に実装される際に利用される。
【００２０】
嵌合部６の両端には、後述するリセプタクルコネクタ１００のガイド孔１１８に挿入されるガイドポスト２６が嵌合する向きに突設されている。ガイドポスト２６は、案内機能やロック機能を果たす。
ハウジング４には、シールドシェル（以下、単にシェルという）２８、２８が取り付けられている。シェル２８は、１枚の金属板から打ち抜き、折り曲げにより形成される。
【００２１】
次に、ハウジング４は、嵌合部６に長手方向Ｌに沿う２列の嵌合溝４４を有し、この嵌合溝４４の両側に複数のコンタクト受容溝４４ａ、４４ｂが形成されている。コンタクト受容溝４４ａ、４４ｂは、それぞれコンタクト部材８、９の幅に応じて形成されており、コンタクト部材８はコンタクト受容溝４４ａに、またコンタクト部材９はコンタクト受容溝４４ｂに配置される。
【００２２】
次に、プラグコネクタ１０と嵌合する相手側のリセプタクルコネクタ１００について、
図４〜図６を参照して説明する。図４はリセプタクルコネクタ１００の平面図、図５はその正面図、図６はリセプタクルコネクタ１００のハウジング１０４の斜視図である。リセプタクルコネクタ１００は、ノートＰＣの底面に配される。
【００２３】
リセプタクルコネクタ１００は、直方体状の絶縁性のハウジング１０４と、このハウジング１０４の側壁１１５を覆うように構成されている金属製のシールドシェル（以下、単にシェルという）１２８と、ハウジング１０４内に保持された複数のコンタクト部材１０８、１０９を有する。コンタクト部材１０８、１０９は、プラグコネクタ１０のコンタクト部材８、９とそれぞれ接続されるものである。
【００２４】
ハウジング１０４は、その長手方向Ｌに沿って延びる嵌合凹部１０１が形成されている。この嵌合凹部１０１内には、プラグコネクタ１０の嵌合溝４４と嵌合される２列の嵌合リブ１４４が、長手方向Ｌに沿ってハウジング１０４と一体に形成されている。嵌合リブ１４４の側面には、複数のコンタクト受容溝１４４ａ、１４４ｂが形成されている。コンタクト受容溝１４４ａ、１４４ｂは、それぞれコンタクトの幅に応じて形成されており、コンタクト部材１０８はコンタクト受容溝１４４ａに、またコンタクト部材１０９はコンタクト受容溝１４４ｂに配置される。コンタクト部材１０８、１０９は、コンタクト受容溝１４４ａ、１４４ｂに配置されて、各嵌合リブ１４４の両側に列状に配設されている。
【００２５】
ハウジング１０４の長手方向Ｌの両端部には、相手方となるプラグコネクタ１０のガイドポスト２６を受容するガイド孔１１８が形成されている。
【００２６】
コンタクト部材１０８、１０９は、それぞれ図示しない配線板に接続されるタイン部１０８ａ、１０９ｃを有し、これらのタイン部１０８ａ、１０９ｃがハウジング１０４の下面から露出している。
【００２７】
以上のように、構成されたプラグコネクタ１０とリセプタクルコネクタ１００が、互いに嵌合されると、コンタクト部材８とコンタクト部材１０８が、またコンタクト部材９とコンタクト部材１０９が接続される。
【００２８】
本実施形態は、リセプタクルコネクタ１００のコンタクト部材の形状に特徴がある。この特徴により、本実施形態によるプラグコネクタ１０及びリセプタクルコネクタ１００からなるドッキングコネクタの低背化を妨げることなく、コンタクト部が絶縁壁からの浮き上がるのを防止する。この特徴について、リセプタクルコネクタ１００に保持される電源用のコンタクト部材１０９を例にして説明する。なお、ここではコンタクト部材１０９を例にするが、コンタクト部材８、９及び１０８に本発明を適用できることは言うまでもない。
【００２９】
図７はコンタクト部材１０９を示す図であり、（Ａ）は正面図、（Ｂ）は側面図、（Ｃ）は平面図を示す。
コンタクト部材１０９は、縦断面がＬ字状であり、コンタクト部１０９ａと、圧入固定部１０９ｂと、タイン部１０９ｃと、耳片１０９ｄとから構成される。コンタクト部材１０９は、例えば銅合金のように電気伝導率の高い金属薄板を、打ち抜き、折り曲げすることで、コンタクト部１０９ａ、圧入固定部１０９ｂ、タイン部１０９ｃ及び耳片１０９ｄが一体に形成されている。コンタクト部材１０９は、金属薄板から構成されているので、各構成部分は弾性を有している。
【００３０】
コンタクト部１０９ａは、相手側のコンタクト部材９と接触する部位である。ここで、コンタクト部１０９ａの自由端側を前端といい、タイン部１０９ｃと繋がる側を後端ということにする。コンタクト部１０９ａは、その後端で、ハウジング１０４の底床１１６に圧入される圧入固定部１０９ｂと繋がる。コンタクト部１０９ａは、ハウジング１０４のコンタクト受容溝１４４ｂに受容される。
【００３１】
タイン部１０９ｃは、リセプタクルコネクタ１００が実装される配線板に電気的に接続される。タイン部１０９ｃは、その一端が圧入固定部１０９ｂと繋がる。また、タイン部１０９ｃは、コンタクト部１０９ａに対して約９０°の角度をなしている。
以上のコンタクト部１０９ａ、圧入固定部１０９ｂ及びタイン部１０９ｃは、公知のコンタクトの各部と同様のものである。
【００３２】
耳片１０９ｄは、圧入固定部１０９ｂの幅方向の両側面に設けられている。耳片１０９ｄは、圧入固定部１０９ｂの側面から延びる支持片１０９ｄ１と、支持片１０９ｄ１と繋がり後端に向けて延びる傾斜片１０９ｄ２とから構成される。支持片１０９ｄ１は、コンタクト部１０９ａと同一平面上に設けられている。傾斜片１０９ｄ２は、支持片１０９ｄ１に対して、及びコンタクト部１０９ａに対して所定の角度θをなして設けられている。傾斜片１０９ｄ２は、弾性を有し、ばねとして機能する。コンタクト部１０９ａは耳片１０９ｄと一体に形成されている。また、傾斜片１０９ｄ２は、圧入固定部１０９ｂを中心としてコンタクト部１０９ａの反対側に配置される。
【００３３】
図８は、従来のコンタクト部材０９を示す図であり、（Ａ）は正面図、（Ｂ）は側面図、（Ｃ）は平面図を示す。本発明によるコンタクト部材１０９のコンタクト部１０９ａと、タイン部１０９ｃと、耳片１０９ｄに対応する構成要素に各々０９ａ、０９ｂ、０９ｃを付している。従来のコンタクト部材０９は、耳片０９ｄの全体が、コンタクト部０９ａと同一平面上に設けられている点で、本発明によるコンタクト部材１０９と相違する。なお、コンタクト部材１０９は、ハウジング１０４に対して、実線矢印の向きに挿入される。
【００３４】
図９は、本発明によるコンタクト部材１０９がリセプタクルコネクタ１００のハウジング１０４に保持された状態を示す部分断面図である。なお、コンタクト部材１０９は、図中、下方からハウジング１０４に圧入される。
コンタクト部材１０９のコンタクト部１０９ａは、嵌合リブ１４４に形成されたコンタクト受容溝１４４ａに受容される。また、コンタクト部材１０９の圧入固定部１０９ｂは、ハウジング１０４の底床１１６に形成された圧入孔１４４ｃに圧入される。コンタクト部材１０９は、圧入固定部１０９ｂのみでハウジング１０４に拘束される。
耳片１０９ｄは圧入孔１４４ｃの幅方向の両端に位置している。一方、支持面Ｓと同一平面上に形成された押圧面１４４ｄが、耳片１０９ｄに対応する位置に形成されている。
【００３５】
コンタクト部材１０９のタイン部１０９ｃに、白抜き矢印の向きに力が加わったとする。コンタクト部材１０９は、圧入固定部１０９ｂのみでハウジング１０４に拘束されているので、コンタクト部材１０９は、圧入固定部１０９ｂを中心として白抜き矢印で示す向きに回転しようとする。ところが、耳片１０９ｄの傾斜片１０９ｄ２は、コンタクト部１０９ａよりも支持面Ｓ側に突出しているから、圧入孔１４４ｃ内において、押圧面１４４ｄに押圧される。コンタクト部１０９ａは圧入固定部１０９ｂを介して傾斜片１０９ｄ２と一体に形成されているので、コンタクト部１０９ａには白抜き矢印で示すように支持面Ｓに向かって押し付ける力が加わる。この力により、コンタクト部１０９ａが支持面Ｓから浮き上がるのを防止する。
【００３６】
図１０は、図９のコンタクト部材１０９を従来のコンタクト部材０９に置き換えた図である。
従来のコンタクト部材０９の場合、耳片０９ｄが支持面Ｓに沿って平行に配置される。したがって、タイン部０９ｃに矢印の向きに力が加わると、圧入固定部０９ｂを中心にして、コンタクト部０９ａは全体として矢印の向きに回転し、その結果としてコンタクト部０９ａが支持面Ｓから浮き上がる。
これに対して本実施形態のコンタクト部材１０９は、タイン部１０９ｃに図９に示す矢印の向きに力が加わっても、傾斜片１０９ｄ２が押圧面１４４ｄに押圧されることにより、コンタクト部１０９ａを支持面Ｓに押し付ける力が発生し、コンタクト部１０９ａは支持面Ｓから浮き上がらない。
【００３７】
以上説明したように、本実施形態によるコンタクト部材１０９は、ハウジング１０４に保持された状態で、コンタクト部１０９ａを嵌合リブ１４４の支持面Ｓに向けて押し付ける力を発生させる耳片１０９ｄをコンタクト部１０９ａと一体で構成することにより、コンタクト部１０９ａが支持面Ｓから浮き上がるのを防止することができる。この効果は、ハウジング１０４の底床１１６を厚くすることなく得ることができる。
【００３８】
また、本実施形態は、新たな部材を付加することなく、耳片１０９ｄの一部に傾斜片１０９ｄ２を形成するだけで、支持面Ｓからコンタクト部１０９ａが浮き上がるのを防止できる利点がある。以下この点について、図１１を参照して説明する。
図１１は、製造過程におけるコンタクト部材１０９の様子を示す図であり、金属薄板を打ち抜くことにより、コンタクト部材１０９の中間体１０９Ｍが形成された様子を示している。図１１は、他の種類のコンタクト部材の中間体も同時に形成された例を示している。
中間体１０９Ｍは、コンタクト部材１０９の耳片１０９ｄに対応する部分がノッチ部を介してキャリアＣに繋がっており、最終的には、所定位置を切断してキャリアＣからコンタクト部材１０９が切り離される。ノッチ部は、キャリアＣから容易に切断又は折り取りが可能に狭幅にされた部分である。タイン部１０９ｃ、傾斜片１０９ｄ２の折り曲げはキャリアＣを切断する前又は後のいずれかに行われるが、タイン部１０９ｃと同時に傾斜片１０９ｄ２を折り曲げすることができる。
【００３９】
コンタクト部材１０９の中間体１０９Ｍ、さらには他の種類のコンタクト部材の中間体を、キャリアＣに繋がった状態で同時に作製することにより、複数種類のコンタクト部材の中間体を一緒にハンドリングすることができ、かつ一緒に打ち抜き、折り曲げ等の加工を施すことが可能であり、高い生産性を確保することができる。耳片１０９ｄは、このような生産方法を採用したときに、キャリアＣとコンタクト部材１０９の中間体１０９Ｍとを繋ぐノッチ部分を流用したものである。したがって、本実施形態によれば、コストの上昇を伴うことなく、コンタクト部１０９ａが支持面Ｓからの浮き上がりを防止できる利点もある。
【００４０】
以上では、耳片１０９ｄに傾斜片１０９ｄ２を設けたが、同様の機能を発揮するものであれば、他の構成を採用することもできる。例えば、傾斜片１０９ｄ２の代わりに、突起を設けることができる。図１２にその例を示す。このコンタクト部材４０９は、圧入固定部４０９ｂ、タイン部４０９ｃを備え、耳片４０９ｄがコンタクト部４０９ａと同一平面上に形成されているが、耳片４０９ｄの先端に、嵌合リブ１４４の支持面Ｓ側に突出する突起４０９ｄ２が形成されている。
【００４１】
また、以上では、Ｌ字状のコンタクト部材１０９について説明したが、本発明はこの形態に限定されない。例えば、図１３に示すように、コンタクト部５０９ａと、圧入固定部５０９ｂと、タイン部５０９ｃと、耳片５０９ｄとからなり、全体として扁平なＩ字状のコンタクト部材５０９についても適用することができる。このコンタクト部材５０９において、耳片５０９ｄは、前述の耳片１０９ｄと同様の構成、機能を有している。なお、Ｌ字状のコンタクト部材１０９は表面実装用のコネクタを構成する場合に用いられ、Ｉ字状のコンタクト部材５０９は、スルーホールが形成された回路基板に実装されるコネクタを構成する場合に用いられる。
【００４２】
さらに、以上では、コンタクト部材１０９の両側の耳片１０９ｄに傾斜片１０９ｄ２を設けたが、本発明はコンタクト部材１０９の片側だけに傾斜片１０９ｄ２を設ける形態を包含する。ただし、コンタクト部１０９ａの幅が広い場合には、コンタクト部材１０９の片側だけに傾斜片１０９ｄ２を設けたのでは、コンタクト部１０９ａを嵌合リブ１４４に押し付ける力をコンタクト部１０９ａの幅方向の全域に及ぼすことがむずかしくなる。したがって、コンタクト部材１０９の片側だけに傾斜片１０９ｄ２を設ける形態は、コンタクト部１０９ａの幅が比較的狭い場合に採用すべきである。
【００４３】
これ以外にも、本発明の要旨、つまり、扁平なコンタクト部を支持面に向けて押し付ける力を発生させる耳片が、コンタクト部と一体に形成されることを逸脱しない限り、上記実施形態で挙げた構成を取捨選択し、あるいは他の構成に適宜変更することが可能である。
【図面の簡単な説明】
【００４４】
【図１】本実施形態に係るプラグコネクタの平面図である。
【図２】図１のプラグコネクタの正面図である。
【図３】図１のプラグコネクタを構成するハウジングの斜視図である。
【図４】図１のプラグコネクタと嵌合するリセプタクルコネクタの平面図である。
【図５】図４のリセプタクルコネクタの正面図である。
【図６】図４のリセプタクルコネクタを構成するハウジングの斜視図である。
【図７】図１のプラグコネクタに用いられるコンタクト部材を示す図であり、（Ａ）は正面図、（Ｂ）は側面図、（Ｃ）は平面図を示す。
【図８】従来のコンタクト部材を示す図であり、（Ａ）は正面図、（Ｂ）は側面図、（Ｃ）は平面図を示す。
【図９】本発明によるコンタクト部材をリセプタクルコネクタのハウジングに保持した状態を示す部分断面図である。
【図１０】従来のコンタクト部材をリセプタクルコネクタのハウジングに保持した状態を示す部分断面図である。
【図１１】製造過程におけるコンタクト部材の様子を示す図である。
【図１２】本発明によるコンタクト部材の他の例を示す図である。
【図１３】本発明によるコンタクト部材の他の例を示す図であり、（Ａ）は正面図、（Ｂ）は側面図を示す。
【図１４】特許文献１に開示されたコネクタを示す斜視図である。
【図１５】特許文献２に開示されたコネクタを示す斜視図である。
【符号の説明】
【００４５】
１００…リセプタクルコネクタ
１０１…嵌合凹部
１０４…ハウジング
１０８，１０９，４０９，５０９…コンタクト部材
１０８ａ，１０９ｃ，４０９ｃ，５０９ｃ…タイン部
１０９ａ，４０９ａ，５０９ａ…コンタクト部
１０９ｂ，４０９ｂ，５０９ｂ…圧入固定部
１０９ｄ，４０９ｄ，５０９ｄ…耳片
１０９ｄ１…支持片
１０９ｄ２…傾斜片
１０９Ｍ…中間体
１１５…側壁
１１６…底床
１４４…嵌合リブ
１４４ａ，１４４ｂ…コンタクト受容溝
１４４ｃ…圧入孔
１４４ｄ…押圧面
４０９ｄ２…突起
Ｃ…キャリア
Ｓ…支持面
【図１】
0004971957.tif 000002
【図２】
0004971957.tif 000003
【図３】
0004971957.tif 000004
【図４】
0004971957.tif 000005
【図５】
0004971957.tif 000006
【図６】
0004971957.tif 000007
【図７】
0004971957.tif 000008
【図８】
0004971957.tif 000009
【図９】
0004971957.tif 000010
【図１０】
0004971957.tif 000011
【図１１】
0004971957.tif 000012
【図１２】
0004971957.tif 000013
【図１３】
0004971957.tif 000014
【図１４】
0004971957.tif 000015
【図１５】
0004971957.tif 000016